(57)【要約】      （修正有）【課題】白色押さえ圧板などの開閉角度が異なる複数の時点での受光レベル同士を比較することにより、発光素子の経時劣化の影響を排除でき、正確に原稿の有無の判定をすることができる原稿検知装置を提供する。【解決手段】原稿読取装置１００において、反射型センサ１０２は、原稿搬送装置１０３または白色押さえ板（原稿押え板１０４）の開閉角度の異なる２つの角度で受光素子の受光レベルを取得して、両者を比較することにより、原稿台ガラス１０１上の原稿の有無を判定する。これにより、発光素子の発光量の経時劣化の影響のない、原稿の有無の判定をすることができる。【選択図】図３
2019186760.tif 000002
【特許請求の範囲】
【請求項１】
原稿を載置するための透光性の載置手段と、
原稿を前記載置手段に押下するための押下手段と、
発光素子と受光素子とから構成される反射型の光検知手段と、
前記載置手段に対する前記押下手段の開閉角度を検知する角度検知手段と、
前記受光素子の出力レベルを取得する取得手段と、
を有する原稿検知装置であって、
前記取得手段は、前記角度検知手段が第１の前記開閉角度を検知した時点における前記出力レベルである第１の出力レベルと、前記角度検知手段が、前記第１の前記開閉角度とは異なる、第２の前記開閉角度を検知した時点における前記出力レベルである第２の出力レベルを取得し、
前記第１の出力レベルと前記第２の出力レベルを比較することによって、前記載置手段の上に原稿が載置されているか否かを判定する判定手段を有することを特徴とする原稿検知装置。
【請求項２】
前記判定手段が、前記第１の出力レベルと前記第２の出力レベルとの差分が、所定の閾値の範囲内であれば前記載置手段の上に原稿が載置されていると判定し、所定の閾値の範囲内でなければ前記載置手段の上に原稿が載置されていないと判定することを特徴とする請求項１に記載の原稿検知装置。
【請求項３】
前記判定手段が、
前記第１の出力レベルと前記第２の出力レベルとの比が、所定の閾値の範囲内であれば前記載置手段の上に原稿が載置されていると判定し、所定の閾値の範囲内でなければ前記載置手段の上に原稿が載置されていないと判定することを特徴とする請求項１に記載の原稿検知装置。
【請求項４】
前記角度検知手段が、フォトインタラプタから構成されることを特徴とする請求項１から３のいずれか１項に記載の原稿検知装置。
【請求項５】
前記フォトインタラプタが、前記第１の開閉角度を検知するための第１のフォトインタラプタと、前記第２の開閉角度を検知するための第２のフォトインタラプタと、とからなることを特徴とする請求項４に記載の原稿検知装置。
【請求項６】
前記光検知手段が、前記載置手段を構成する平面内の異なる位置に複数設けられていることを特徴とする請求項１から５のいずれか１項に記載の原稿検知装置。
【請求項７】
操作手段を有し、原稿の読み取りを開始する指示が前記操作手段から入力された場合、  前記操作手段から原稿サイズを入力する旨の指示を促すことを特徴とする請求項１から６のいずれか１項に記載の原稿検知装置。
【請求項８】
操作手段を有し、前記操作手段から原稿サイズが入力されると、前記判定手段は、前記第１の出力レベルと前記第２の出力レベルとの前記比較を実行しないことを特徴とする請求項１から７のいずれか１項に記載の原稿検知装置。
【請求項９】
原稿を載置するための透光性の載置手段と、
原稿を前記載置手段に押下するための押下手段と、
発光素子と受光素子とから構成される反射型の光検知手段と、
前記載置手段に対する前記押下手段の開閉角度を検知する角度検知手段と、
前記受光素子の出力レベルを取得する取得手段と、
を有する原稿検知装置における原稿検知方法であって、
前記角度検知手段が第１の前記開閉角度を検知した時点における前記出力レベルである第１の出力レベルと、前記角度検知手段が、前記第１の前記開閉角度とは異なる、第２の前記開閉角度を検知した時点における前記出力レベルである第２の出力レベルを取得する工程と、
前記第１の出力レベルと前記第２の出力レベルを比較することによって、前記載置手段の上に原稿が載置されているか否かを判定する工程とを有することを特徴とする原稿検知装置における原稿検知方法。
【請求項１０】
請求項９に記載の原稿検知方法をコンピュータにより実行させるためのプログラム。
【発明の詳細な説明】
【技術分野】
【０００１】
本発明は、発光素子と受光素子からなる反射型センサを使用した原稿検知装置に関するものである。
【背景技術】
【０００２】
従来から、画像読取装置の原稿台ガラス上に原稿が置かれているか否かを検知するために反射型センサが使用されている。反射型センサは、原稿台ガラスの下方から原稿台ガラス方向を照射する発光素子と、原稿台ガラスの上方からの反射光を受光する受光素子から構成される。
【０００３】
反射型センサの発光素子の直上の原稿台ガラスに原稿が載置されている場合は、発光素子が発した光の多くが原稿面で反射されるので、受光素子の受光量は大きくなる。一方、原稿が原稿台ガラスに載置されていない場合は、原稿からの反射光がないので、受光素子の受光量は小さくなる。
反射型センサが受光素子の受光量をアナログ信号として出力する回路を搭載している場合は、アナログ信号値を反射型センサ外に設けた回路で閾値判定を行う。そして、アナログ信号値が所定の閾値以上の場合には原稿あり、閾値以下の場合には原稿なしと判定している。閾値判定する回路を搭載している反射センサでは、原稿ありのときはＬレベル、原稿なしのときはＨレベルといった二値信号を出力している。このような機能により原稿台ガラス上の原稿の有無を判定している。
【０００４】
発光素子には赤外光を出力する発光ダイオードが使用されることが多いが、発光時間とともに発光光量が低下していく性質があるため、継続して使用していると受光素子の出力レベルも低下していってしまう。その結果、受光素子のアナログ出力レベルに対して適切な閾値判定ができなくなり、原稿台ガラス上に原稿があるのにもかかわらず、原稿なしと誤判定するなど、正しい判定ができなくなることがある。
【０００５】
特許文献１は、反射型センサの発光素子の継続使用による発光量低下率を検出し、低下した発光量を補償するように発光量を調整する方法について述べている。具体的には、発光素子の経時劣化がない、例えば製品出荷時などに、白色押さえ板と原稿台ガラスのなす角度が所定の角度になった時点での白色押さえ板の受光レベルを取得する。そして、この時点での受光レベルを初期値として記憶しておく。所定の角度は複数あり、数種類の角度で受光レベルの取得し、記憶しておく。
その後、これと同じ作業を発光素子の経時劣化が生じた頃に再度実施し、その時点で得られた複数角度での受光レベルと、記憶しておいた初期値とを比較する。それにより、発光素子の発光量低下率を算出して、低下した分を補償するように発光素子に流れる電流などを変更して発光量を上げ、反射型センサの受光レベルに対して閾値判定が行えるようになる。
【先行技術文献】
【特許文献】
【０００６】
【特許文献１】特開２０１２−７００２９号公報
【発明の概要】
【発明が解決しようとする課題】
【０００７】
このように、初期の受光レベル値と経時劣化後の受光レベルを比較することで、発光素子の光量低下率を算出することは可能である。しかし、このためには発光素子の発光量を変更するための制御回路が必要となり、コストアップになる。
また、発光素子の発光レベルは一定に調整しているものの、原稿台ガラス上の原稿の有無を判定するために受光素子の受光レベルを単純な閾値判定により行っている。そのため、反射光が小さくなる原稿（例えば、特許文献１では、図５のＯＤ値が高の原稿）では閾値以下の受光レベルとなってしまい、原稿台ガラス上に原稿があるにもかかわらず、原稿なしと誤判定してしまうおそれがある。
【課題を解決するための手段】
【０００８】
本発明は、原稿を載置するための透光性の載置手段と、原稿を前記載置手段に押下するための押下手段と、発光素子と受光素子とから構成される反射型の光検知手段と、前記載置手段に対する前記押下手段の開閉角度を検知する角度検知手段と、前記受光素子の出力レベルを取得する取得手段と、を有する原稿検知装置であって、前記取得手段は、前記角度検知手段が第１の前記開閉角度を検知した時点における前記出力レベルである第１の出力レベルと、前記角度検知手段が、前記第１の前記開閉角度とは異なる、第２の前記開閉角度を検知した時点における前記出力レベルである第２の出力レベルを取得し、前記第１の出力レベルと前記第２の出力レベルを比較することによって、前記載置手段の上に原稿が載置されているか否かを判定する判定手段を有することを特徴とする。
【発明の効果】
【０００９】
本発明は、白色押さえ圧板などの開閉角度が異なる複数の時点での受光レベル同士を比較することにより、発光素子の経時劣化の影響を排除でき、正確に原稿の有無の判定をすることができる。
【図面の簡単な説明】
【００１０】
【図１】原稿搬送装置を備えた原稿読取装置の概略図
【図２】角度検知フラグレバーよる原稿搬送装置の開閉角度検知を説明する図
【図３】原稿がない場合の反射型センサの受光レベルを示す図
【図４】原稿がある場合の反射型センサの受光レベルを示す図
【図５】原稿読取装置のハードウェアのブロック図
【図６】原稿の有無を検知するための制御フロー
【発明を実施するための形態】
【００１１】
以下に、添付図面を参照して本発明の実施例について具体的かつ詳細に説明する。
【００１２】
図１は、本実施例の原稿検知装置を備えた原稿読取装置１００の概略図である。
原稿読取装置１００は、原稿を載置するための透光性の原稿台ガラス１０１、反射型センサ１０２、原稿搬送装置（あるいは圧板）１０３、白色押さえ板１０４、などからなる。白色押さえ板１０４は、原稿を原稿台ガラス１０１に押下するための部材であり、原稿搬送装置１０３に装着される。
【００１３】
前述したように、反射型センサ１０２は、発光素子と受光素子から構成され、光検知を行うセンサである。発光素子が発した光は反射型センサのケースに設けられた窓１０２ａを通って原稿台ガラス１０１方向に照射され、反射光は同じく反射型センサのケースに設けられた窓１０２ｂを通って受光素子に入射する。ケースに設けられた窓１０２ａ、１０２ｂは、レンズなどの集光部材で構成されている。
【００１４】
角度検知フラグレバー１０５は、原稿搬送装置１０３（白色押さえ板１０４）の開閉角度を検知する。角度検知フラグレバー１０５付近の原稿読取装置１００内には、角度検知フラグレバー１０５を原稿搬送装置１０３側にバネ付勢する機構があり（図示なし）、角度検知フラグレバー１０５の頭の部分が原稿搬送装置１０３に接するようになっている。
これにより、原稿搬送装置１０３の開閉動作に応じて、角度検知フラグレバー１０５が上下方向に動くようになっている。原稿搬送装置１０３の開閉角度の検知構成については後述する。
【００１５】
図１では、原稿台ガラス１０１上の原稿がスモールサイズ（例えばＡ４サイズ）か、ラージサイズ（例えばＡ３サイズ）かを判定すべく、反射型センサ１０２を副走査方向（図１の左右方法）の後方側に配置した例を示している。
図１は原稿台ガラス１０１にＡ４サイズの原稿が載置されている場合を示す。この場合、反射型センサ１０２の直上には原稿がないので、反射型センサ１０２の発光素子が発する光は原稿台ガラス１０１を通過し、白色押さえ板１０４に到達する。そして、白色押さえ板１０４からの反射光が再度原稿台ガラス１０４を通過して、受光素子に入射する。
【００１６】
原稿台ガラス１０１上にＡ３サイズの原稿が載置された場合は（図示せず）、反射型センサ１０２の直上は原稿で覆われる。この場合、反射型センサ１０２の発光素子が発する光は、原稿台ガラス１０１を通過して、原稿を照射する。そして、原稿からの反射光が受光素子に入射する。
このように、Ａ４原稿が載置された場合とＡ３原稿が載置された場合とでは、反射型センサの発光素子から発せられる光が照射される対象物が異なる。また、発光素子から発せられてから、対象物により反射され、受光素子に入射するまでの距離が異なる。
そのため、受光素子の受光レベルは異なるものになる。すなわち、Ａ４原稿の場合、受光素子の受光レベルは小さくなり、Ａ３原稿の場合、受光素子の受光レベルは大きくなる。
【００１７】
図２は、角度検知フラグレバー１０５による原稿搬送装置１０３の開閉角度を検知する機構を説明する図である。ここでは、図１の角度検知フラグレバー１０５付近を原稿読取装置１０１の左から見たときの断面図を表している。
【００１８】
第１のフォトインタラプタ２０１ａと第２のフォトインタラプタ２０１ｂは、それぞれ、原稿読取装置１００内に配置される。本実施例では、原稿搬送装置１０３の開閉角度が異なる２つの角度で検出するため、２個のフォトインタラプタを設けられる。
第１の遮光フラグ２０２ａと第２の遮光フラグ２０２ｂは、それぞれ、フォトインタラプタ２０１ａ、２０１ｂ内の対向する発光素子、受光素子間の光路を遮光するための部材であり、角度検知フラグレバー１０５に設けられる。
【００１９】
原稿搬送装置１０３が大きく開いた状態から閉められていくと、角度検知フラグレバー１０５は、原稿搬送装置１０３により押下されていき、”閉”で示した矢印の方向に変位していく。これにより、まず、第１の遮光フラグ２０２ａが第１のフォトインタラプタ２０１ａの光路を遮る。図２は第１の遮光フラグ２０２ａが第１のフォトインタラプタ２０１ａの光路を遮った瞬間の状態を図示している。この時点で、第１のフォトインタラプタ２０１ａの出力信号はＬレベルからＨレベルに変化する。
この状態では、第２の遮光フラグ２０２ｂは第２のフォトインタラプタ２０１ｂを遮光していない。そのため、第２のフォトインタラプタ２０１ｂの出力信号はＬレベルのままである。
【００２０】
さらに原稿搬送装置１０３が”閉”で示した矢印の方向に変位していくと、第２の遮光フラグ２０２ｂが第２のフォトインタラプタ２０１ｂの光路を遮るようになる。そして、第２のフォトインタラプタ２０１ｂの出力信号もＬレベルからＨレベルに変化する。
【００２１】
このように、所定の角度で第１の遮光フラグ２０２ａと第２の遮光フラグ２０２ｂが、第１のフォトインタラプタ２０１ａと第２のフォトインタラプタ２０１ｂを、それぞれ異なる角度で、遮光するように設定される。そうすると、第１のフォトインタラプタ２０１ａと第２のフォトインタラプタ２０１ｂの出力信号が、それぞれ異なるタイミングで、ＬレベルからＨレベルへ変化する。そのため、それらの出力信号を検出することで、原稿搬送装置１０３の開閉角度を検知することが可能となる。
【００２２】
なお、第１のフォトインタラプタ２０１ａと第２のフォトインタラプタ２０１ｂの出力信号が、ＨレベルからＬレベルへの変化するのを検出することで、原稿搬送装置１０３の開角度を検知することも可能である。また、上述の例では、原稿搬送装置１０３の開閉角度を検知することについて述べたが、白色押さえ板１０４そのものの角度を検出するようにしてもよい。
【００２３】
本実施例では、第１の遮光フラグ２０２ａと第１のフォトインタラプタ２０１ａとで検知される角度を２０度、また、第２の遮光フラグ２０２ｂと第２のフォトインタラプタ２０１ｂとで検知される角度を５度、として以下の説明を行う。
【００２４】
図３は、反射型センサ１０２上の原稿台ガラス１０１に原稿が載置されていない状態での、反射型センサ１０２の受光素子の受光レベルを示している。（ａ）は原稿搬送装置１０３の開閉角度が２０度の場合、（ｂ）は５度の場合、をそれぞれ示す。
図３（ａ）に示されるように、原稿搬送装置１０３の開閉角度が２０度のとき、反射型センサ１０２の発光素子が発する光は、原稿がないため、白色押さえ板１０４に到達し、白色押さえ板１０４からの反射光が受光素子で受光される。このときの受光レベルは、例えば６０である。受光レベルとは、受光素子が受光した反射光量を数値化した値で、受光素子の出力信号をＡＤ変換器でデジタルしたものである。値は２５６階調で表現している。
【００２５】
図３（ｂ）に示されるように、原稿搬送装置１０３の開閉角度が５度のときは、（ａ）と同じく原稿がない状態なので、反射型センサ１０２の発光素子が発する光は白色押さえ板１０４に到達する。しかし、（ａ）の場合より反射型センサ１０２から白色押さえ板１０４までの距離が近いため、反射光量は大きくなる。このときの受光レベルは、例えば１５０である。
【００２６】
このように、反射型センサ１０２上に原稿がなく、発光素子が発する光が白色押さえ板１０４で反射される場合、原稿搬送装置１０３が閉められていくと、受光素子１０２と白色押さえ板１０４の距離が縮まるので、受光レベルは大きくなる。例えば、開閉角度が２０度から５度に閉められていくと、受光レベルは６０から１５０に大きくなる。
【００２７】
図４は、反射型センサ１０２上の原稿台ガラス１０１に原稿が載置されている状態での、反射型センサ１０２の受光素子の受光レベルを示している。図３と同様に、（ａ）は原稿搬送装置１０３の開閉角度が２０度の場合、（ｂ）は５度の場合である。
【００２８】
図４（ａ）に示されるように、原稿搬送装置１０３の開閉角度が２０度のとき、反射型センサ１０２の発光素子が発する光は原稿に到達し、原稿からの反射光が受光素子で受光される。そのときの受光レベルは、例えば１８０である。
図４（ｂ）は開閉角度が５度の場合であるが、反射型センサ１０２と原稿の位置関係は図４（ａ）と同じなので、受光レベルは図４（ａ）と変わらず、例えば１８０のままである。
【００２９】
このように、反射型センサ１０２上に原稿がある場合は、反射型センサ１０２の受光素子には常に原稿台ガラス１０１上に載置されている原稿からの反射光が入射されるので、原稿搬送装置１０３の開閉角度によらず、受光レベルに変化はない。
【００３０】
上述のとおり、本実施例では、原稿搬送装置１０３の開閉角度を２０度および５度でそれぞれ検出し、各開閉角度での反射型センサ１０２の受光レベルを取得する。そして、２０度開閉時の受光レベルが５度開閉時の受光レベルより小さくなっていれば、反射型センサ１０２上に原稿はなし、また、２０度開閉時の受光レベルが５度開閉時の受光レベルと等しくなっていれば原稿ありと判定する。
なお、原稿ありの判定は、２つの角度での受光レベルが等しいことを条件としているが、これに限られず、測定のばらつきを考慮して、幅を持たせて判定してもよい。例えば、２０度開閉時の受光レベルと５度開閉時の受光レベルの差分の絶対値が所定の閾値（例えば５レベル）内のばらつきを許容するような判定にしてもよい。また、原稿搬送装置１０３の開閉検知角度は２０度と５度に限られるものではない。
【００３１】
図５は、画像読取装置を構成するハードウェアのブロック図である。
ＣＰＵ５０１は各種の制御を行う。
原稿搬送装置１０３の開閉角度を検知する第１のフォトインタラプタ２０１ａと第２のフォトインタラプタ２０１ｂの出力信号は、それぞれ、ＣＰＵ５０１に入力される。ＣＰＵ５０１は、各フォトインタラプタ２０１ａ、２０１ｂの出力がＨレベルにまたはＬレベルに変化したことを検知することにより、原稿搬送装置１０３の開閉角度が２０度または５度になったことを検出する。
【００３２】
反射型センサ１０２は発光素子１０２ｃと受光素子１０２ｄを内蔵している。
給電回路５０２は、反射型センサ１０２の電源供給をＯＮ、ＯＦＦする。ＣＰＵ５０１が出力する給電制御信号により、反射型センサ１０２への給電をＯＮ、ＯＦＦすることが可能になっている。給電がＯＮされると、反射型センサ１０２は原稿検知動作を開始する。
ＡＤ変換器５０３の動作制御は、ＣＰＵ５０１が出力するＡＤ変換制御信号により行われる。ＡＤ変換器５０３のアナログ入力端子には反射型センサ１０２の受光素子１０２ｄの出力が接続されており、受光素子１０２ｄが出力する受光レベルをデジタルデータに変換する。そして、ＡＤ変換器５０３のデジタルデータ出力はＣＰＵ５０１に接続されており、ＣＰＵ５０１は受光素子１０２ｄの受光レベルをデジタルデータとして取得する。なお、ＡＤ変換器がＣＰＵ５０１に内蔵されている場合は、それを使用してもよい。
【００３３】
ＣＰＵ５０１は、第１のフォトインタラプタ２０１ａと第２のフォトインタラプタ２０１ｂを参照している。そして、原稿搬送装置１０３が開けられたことを検知して、給電回路５０２をＯＮして、反射型センサ１０２を動作状態にする。同時に、ＡＤ変換器５０３によるＡＤ変換処理を開始する。
ＣＰＵ５０１は、第１のフォトインタラプタ２０１ａと第２のフォトインタラプタ２０１ｂの出力信号から原稿搬送装置１０３が閉められたことを検知したら、ＡＤ変換器５０３からデジタル化された受光センサ１０２ｄの受光レベルを取得する。原稿搬送装置１０３の２０度開閉時の受光レベルと５度開閉時の受光レベルの比較による原稿有無の判定処理はＣＰＵ５０１にて行われる。
【００３４】
図６は、原稿の有無を検知するためのフローチャートである。
このフローチャートの各ステップにおける処理は、図５に示す各デバイスからの入力などに基づいて、ＣＰＵ５０１によって実行される。
【００３５】
まず、Ｓ６００で、ＣＰＵ５０１は、原稿搬送装置１０３（白色押さえ板１０４）が開けられたことを検知する。
この時点は、ユーザーが、原稿台ガラス１０１に原稿を置くために、原稿搬送装置１０３を開けるのを待機している状態である。開けられたことを検知するために、５度検知用の第２のフォトインタラプタ２０１ｂの出力が使用される。
原稿搬送装置１０３が閉められている状態では、第２のフォトインタラプタ２０１ｂの出力はＨレベルである。開けられると、出力はＬレベルになる。その状態で、第２のフォトインタラプタ２０１ｂの出力がＨからＬに変化したことを検知することにより、ＣＰＵ５０１は、原稿搬送装置１０３が５度以上開けられたと判断する。
Ｓ６００でＹｅｓと判定されれば、Ｓ６０１へ移行する。Ｎｏであれば、Ｓ６００を繰り返し、ＣＰＵ５０１は、原稿搬送装置１０３が開けられるのを待機する。
【００３６】
Ｓ６０１では、ＣＰＵ５０１は、給電回路５０２をＯＮして、反射型センサ１０２に電源を投入する。そして、ＡＤ変換器５０３にＣＰＵ５０１から制御信号を入力し、反射型センサ１０２とＡＤ変換器５０３を動作状態にする。
【００３７】
次に、Ｓ６０２で、ＣＰＵ５０１は、開始ボタン（図示なし）が押下されたか否かを判定する。
開始ボタンとは、画像読取装置の操作部などに設けられ、原稿の読み取り開始を指示するためにユーザーが操作するボタンである。
開始ボタンが押されると（Ｙｅｓ）、Ｓ６０３へ進む。押されなければ（Ｎｏ）、Ｓ６０４へ移行する。
【００３８】
Ｓ６０３では、画像読取装置の操作部などを介して、ユーザーが原稿サイズを入力する。
この時点では、開始ボタンが押され、ユーザーにより原稿読み取りが指示されているが、原稿サイズの検知は行われていない。そのため、原稿台ガラス１０１上の原稿サイズが不明なので、ＣＰＵ５０１は、操作パネルなどを介してユーザーに原稿サイズを選択させる。
なお、この時点では、ユーザーによる原稿読み取りがすでに指示されているため、原稿は原稿台ガラス１０１に載置されているとみなされる。
【００３９】
Ｓ６０４では、ＣＰＵ５０１は、２０度検知用の第１のフォトインタラプタ２０１ａを介して、原稿搬送装置１０３が２０度開閉状態になったか否かを検知する。
これは、第１のフォトインタラプタ２０１ａの出力がＬからＨに変化することを検知することで判断される。ユーザーの操作で言えば、ユーザーが、いったん原稿搬送装置１０３を大きく開けてから、再び閉じ始めたか否かを検知するステップである。
２０度開閉になったことが検知されたら（Ｙｅｓ）、Ｓ６０５へ移行する。検知されない場合は、Ｓ６０２に移行する。
【００４０】
Ｓ６０５では、ＣＰＵ５０１は、原稿搬送装置１０３が２０度開閉状態になったときの反射型センサ１０２の出力レベルＳ（ａ）を取得する。ここで、ＣＰＵ５０１は、ＡＤ変換器５０３の出力を受け取り、その出力レベルを一時的に記憶しておく。
【００４１】
そして、Ｓ６０６で、ＣＰＵ５０１は、Ｓ６０２と同様に、開始ボタンが押下されたか否かを判定する。
開始ボタンが押されれば（Ｙｅｓ）、Ｓ６０３へ移行する。
この時点では、原稿サイズの検知は完了しておらず、原稿台ガラス１０１上の原稿サイズが不明なので、ＣＰＵ５０１は、Ｓ６０３で操作パネルなどを介してユーザーに原稿サイズを選択させる。
開始ボタンが押されなければ（Ｎｏ）、Ｓ６０７へ移行する。
【００４２】
Ｓ６０７では、５度検知用のフォトインタラプタ２０１ｂを介して、ＣＰＵ５０１は、原稿搬送装置１０３が５度開閉状態になったか否かを再び検知する。
これは、フォトインタラプタ２０１ｂ出力がＬからＨに変化することにより検知される。ユーザーの操作で言えば、原稿搬送装置１０３をほぼ閉状態にしたことを検知するステップである。
５度開閉であることが検知されたら（Ｙｅｓ）、Ｓ６０８へ移行する。検知されない場合は、Ｓ６０６に移行する。
【００４３】
Ｓ６０８は、原稿搬送装置１０３が５度開閉状態になったときの反射型センサ１０２の出力レベルＳ（ｂ）を取得するステップである。ここで、ＣＰＵ５０１は、ＡＤ変換器５０３の出力を受け取り、その出力レベルを一時的に記憶しておく。
ここで、反射型センサ１０２の直上に原稿が載置されていない場合、図３において説明したように、５度開閉状態時のＳ（ｂ）は、２０度開閉時のＳ（ａ）より、大きくなる。
それに対して、反射型センサ１０２の直上に原稿が載置されている場合は、図３において説明したように、５度開閉状態時のＳ（ｂ）は２０度開閉時のＳ（ａ）とほぼ変わらない。
【００４４】
そして、Ｓ６０９で、ＣＰＵ５０１は、Ｓ６０５で取得した原稿搬送装置１０３の角度２０度の反射型センサ１０２の出力レベルＳ（ａ）と、Ｓ６０８で取得した原稿搬送装置１０３の５度時の反射型センサ１０２の出力レベルＳ（ｂ）とを比較する。これにより、原稿台ガラス１０１上に原稿が載置されているか否かを判定する。
具体的には、２０度と５度時の反射型センサ１０２の出力レベルの差が所定範囲内にあるか否かにより判定される。また、２０度と５度時の反射型センサ１０２の出力レベルの比が所定範囲内にあるか否かにより判定されてもよい。
前記出力レベルの差が所定範囲にあると判定された場合は（Ｙｅｓ）、Ｓ６１０へ移行し、ＣＰＵ５０１は、原稿台ガラス１０１上に原稿が載置されていると判定する。
所定範囲にないと判定された場合は（Ｎｏ）、Ｓ６１１に移行し、ＣＰＵ５０１は、原稿台ガラス１０１上に原稿が載置されていないと判定する。
【００４５】
そして、Ｓ６１２で、ＣＰＵ５０１は、給電回路５０２をＯＦＦし、反射型センサ１０２に電源を遮断する。そして、ＣＰＵ５０１からＡＤ変換器５０３への制御信号を停止し、反射型センサ１０２とＡＤ変換器５０３を停止状態にする。
これにより原稿有無の判定が終了するので、ＣＰＵ５０１は、反射型センサ１０２とＡＤ変換器５０３を停止し、原稿検知フローは終了となる。
【００４６】
本実施例では、原稿検知制御は原稿読取装置１００に反射型センサ１０２を１個のみ搭載した場合について説明をしている。しかし、原稿台ガラス１０１上に置かれた原稿がＡＢ系列の原稿か、ｉｎｃｈ系列の原稿かの判定を行う場合には、原稿台ガラス１０１に並行する平面内に、２個、またはそれ以上のように、反射型センサ１０２を複数設けてもよい。
【００４７】
以上のとおり、本実施例では、反射型センサ１０２の出力レベルを原稿搬送装置の複数の開閉角度で取得し、それらを比較することにより、原稿台ガラス１０１上に置かれた原稿の有無を判定するようにした。これにより、閾値判定で問題になる発光素子の経時劣化の影響を排除でき、また、閾値判定を用いない判定のため原稿の濃度によらず正確な原稿有無判定が可能となる。
【００４８】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上述の実施例に限定されるものではなく、本発明の趣旨に基づき種々の変形が可能であり、それらを本発明の範囲から除外するものではない。すなわち、上述の実施例及びその変形例を組み合わせた構成も全て本発明に含まれるものである。
【符号の説明】
【００４９】
１００  原稿読取装置
１０１  原稿台ガラス
１０２  反射型センサ
１０３  原稿搬送装置
１０４  原稿押さえ板
１０５  角度検知フラグレバー
２０１ａ  第１のフォトインタラプタ
２０１ｂ  第２のフォトインタラプタ
【図１】
2019186760.tif 000003
【図２】
2019186760.tif 000004
【図３】
2019186760.tif 000005
【図４】
2019186760.tif 000006
【図５】
2019186760.tif 000007
【図６】
2019186760.tif 000008